(57)【要約】【課題】グリップの握りを適正化するためのパッドを備えたゴルフ用手袋に関し、ゴルフ用手袋の見栄えの悪化、スイング以外の動作の障害、パッドの紛失、他のプレーヤーに与える心理的影響、パッドの早期損耗、縫製糸の損耗又は切断、更には、製造工程の煩雑化又は複雑化を防止するとともに、パッドの耐水性、汚れ防止等を格別に考慮せずにパッドを製造可能にするように改良する。【解決手段】パッド（１０）は、適度な形状保持性を有する芯材（１７）と、芯材を被覆するカバー（１６）とを有し、面状止着具（１３）によって手袋本体（１１）の掌部裏面に着脱可能に取付けられる。面状止着具を構成する第１ファスナ要素（１４）は、掌部裏面に固定され、第２ファスナ要素（１５）は、芯材に一体的に取付けられる。パッドは、第１及び第２ファスナ要素の止着により手袋本体（１１）の掌部裏面に固定され、ゴルフクラブのグリップに沿って延びる突条（２０）を手袋着用時に掌部表面に形成する。【選択図】　　図１
0003097083.tif 000002
【実用新案登録請求の範囲】
【請求項１】
利き腕と反対側の手に着用されるゴルフ用手袋であって、ゴルフクラブのグリップの握りを適正化するためのパッドを備えたゴルフ用手袋において、
前記パッドは、適度な形状保持性を有する芯材と、該芯材を被覆するカバーとを有し、面状止着具によって手袋本体の掌部裏面に着脱可能且つ位置調節可能に取付けられ、
前記面状止着具は、分離可能な第１ファスナ要素及び第２ファスナ要素からなり、前記第１ファスナ要素は、前記掌部裏面に固定され、前記第２ファスナ要素は、前記芯材に一体的に取付けられ、
前記パッドは、前記第１及び第２ファスナ要素の止着により前記掌部の裏面に固定され、ゴルフクラブのグリップに沿って延びる突条を手袋着用時に前記掌部の表面に形成することを特徴とするゴルフ用手袋。
【請求項２】
利き腕と反対側の手に着用されるゴルフ用手袋であって、ゴルフクラブのグリップの握りを適正化するためのパッドを備えたゴルフ用手袋において、
前記パッドは、適度な形状保持性を有し且つ弾力的に変形可能な樹脂、ゴム又はエラストマーの一体成形品からなり、中空構造を有し、面状止着具によって手袋本体の掌部裏面に着脱可能且つ位置調節可能に取付けられ、
前記面状止着具は、分離可能な第１ファスナ要素及び第２ファスナ要素からなり、前記第１ファスナ要素は、前記掌部裏面に固定され、前記第２ファスナ要素は、前記パッドの一面に一体的に取付けられ、
前記パッドは、前記第１及び第２ファスナ要素の止着により前記掌部の裏面に固定され、ゴルフクラブのグリップに沿って延びる突条を手袋着用時に前記掌部の表面に形成することを特徴とするゴルフ用手袋。
【請求項３】
前記第１ファスナ要素は、合成樹脂基材の表面全域に合成樹脂製の多数のループ状起毛を形成した面ファスナの雌側部材からなり、前記第２ファスナ要素は、合成樹脂基材の表面全域に多数のフック状微細突起を形成した面ファスナの雄側部材からなることを特徴とする請求項１又は２に記載のゴルフ用手袋。
【請求項４】
前記芯材は、繊維質材料、樹脂発泡体、合成ゴム材料又はエラストマー材料で作られることを特徴とする請求項１に記載のゴルフ用手袋。
【請求項５】
前記第２ファスナ要素の外縁部及び前記カバーの外縁部は、縫着又は熱溶着により一体化し、前記第２ファスナ要素及びカバーは、前記芯材を収容可能な鞘を形成することを特徴とする請求項１又は４のいずれか１項に記載のゴルフ用手袋。
【請求項６】
前記掌部裏面に取付けられた前記パッドの高さ（Ｔ）は、５ｍｍ以上に設定されることを特徴とする請求項１乃至５のいずれか１項に記載のゴルフ用手袋。
【請求項７】
前記パッドの幅（Ｗ）は、１０〜３０ｍｍに設定され、該パッドの長さ（Ｌ）は、３５〜７０ｍｍに設定されることを特徴とする請求項６に記載のゴルフ用手袋。
【請求項８】
前記第１ファスナ要素は、中指付け根付近から小指側に斜めに延び、該第１ファスナ要素の中心線は、手袋の中心軸線に対して所定角度（α）をなして傾斜し、この角度（α）は、３０〜６０度の範囲内の角度値に設定され、前記第１ファスナ要素の側縁は、手首側に向かって若干拡開する形態を有し、前記第１ファスナ要素の開き角（β）は、１０〜３０度の範囲内の角度値に設定されることを特徴とする請求項７に記載のゴルフ用手袋。
【請求項９】
前記第１ファスナ要素は、手袋の中心軸線方向に沿って並列配置されることを特徴とする請求項７に記載のゴルフ用手袋。
【考案の詳細な説明】
【０００１】
【考案の属する技術分野】
本考案は、ゴルフ用手袋に関するものであり、より詳細には、ゴルフクラブのグリップの握りを適正化するためのパッドを備えたゴルフ用手袋に関するものである。
【０００２】
【従来の技術】
一般に、競技中又は練習中のゴルフプレーヤーは、利き腕と逆の手にゴルフ用手袋を着用する。右利きのゴルフプレーヤーは、左手でゴルフクラブのグリップを握持し、右手を左手の上に重ね、左利きのゴルフプレーヤーは、右手でグリップを握持し、左手を右手の上に重ねる。従って、ゴルフ用手袋は、利き手と逆の手に装着される。
【０００３】
ゴルフ用手袋は、ゴルフクラブの素振り時又はショット時に掌に肉刺（マメ）ができるのを防止することを目的とするだけではなく、グリップの滑りや回転を防止し、掌及び手指による正確なグリップ握持を容易にする。ゴルフ手袋は又、インパクト時の衝撃や、スイングトップ時の反動、更には、ゴルフクラブのすっぽ抜け等を緩和し又は防止する上でも有効である。このため、ほぼ全てのゴルフプレーヤーは、利き手の逆の手に手袋をはめた状態でプレー中又は練習中にゴルフスイングする。
【０００４】
初心者であるか、熟練者であるかを問わず、多くのゴルフプレーヤーの認識によれば、ゴルフプレー技術の上達にとってグリップの握り方が極めて重要である。事実、グリップの握り方が不適切な場合、スイングトップ時及びインパクト時のクラブフェースが安定せず、これは、フック、スライス又はミスショットの典型的な原因となる。また、グリップの握り方に問題がある場合、ショットの方向が安定せず、飛距離も延び難く、従って、ゴルフプレーのスコアは、悪化するであろう。
【０００５】
また、グリップの握り及びスイングが安定した熟練ゴルフプレーヤーであっても、年齢に相応して握力が低下した場合、或いは、元々握力が弱い女性ゴルフファーの場合等は、プレー中にグリップの握りが弛み易く、これにより、スコアを崩すことも少なくない。
【０００６】
グリップの握りを安定させる手段として、掌部の表面にパッドを配設したゴルフ用手袋が、実登３０４２３５４号公報及び特開平１１−２４４４４４号公報に開示されている。この構成の手袋によれば、グリップ力の弛みをパッドにより補い、グリップの握りを適正化し得るかもしれない。
【０００７】
【考案が解決しようとする課題】
しかしながら、この種のゴルフ用手袋では、パッドが掌部の表面に露出する。パッドは、見栄えが悪く、パター使用時又はスコアーマーク時、或いは、他のプレーヤーとの握手等のようなスイング以外の各種動作時には、パッドが邪魔になることもある。
【０００８】
また、スイング時に生じるグリップ−パッド間の摩擦や、インパクト時の衝撃等により、比較的大きな摩擦力、擦過力又は引張・圧縮・曲げ応力がパッド及びその縫製部分に作用するので、パッドが早期に損耗したり、継続使用により縫製糸が損耗し又は切断し易い。これに対し、パッドの取付け面の面積を拡大したり、縫製技術を工夫する等の対策によりパッド及び縫製部分の耐久性を改善することも可能であるが、製造コスト及びパッド寸法上の制約等を考慮すると、このような改善策には限界がある。
【０００９】
掌の表面に露出したパッドは又、耐水性や、汚れの防止等を配慮した素材及び製法で製造しなければならず、これは、製造の煩雑化又は複雑化をもたらす。このため、耐水性や、汚れの防止等を考慮せずにパッドを製造可能にする改善策が望まれる。
【００１０】
加えて、掌部表面に取付けたパッドは、脱落時又は取外し時に紛失し易く、パッドを紛失した手袋は、普通のゴルフ用手袋として継続使用せざるを得ず、このため、パッドの紛失を確実に防ぐ手段が必要とされる。
【００１１】
更には、ゴルフは、心理的影響を比較的受け易いスポーツであり、多くのゴルフプレーヤーは、この種のパッドを備えた手袋を用いることを他のプレーヤーに意識されることを望まない。
【００１２】
本考案は、このような事情に鑑みてなされたものであり、その目的とするところは、ゴルフクラブのグリップの握りを適正化するためのパッドを備えたゴルフ用手袋において、ゴルフ用手袋の見栄えの悪化、スイング以外の動作の障害、パッドの紛失、他のプレーヤーに与える心理的影響、パッドの早期損耗、縫製糸の損耗又は切断、更には、製造工程の煩雑化又は複雑化を防止するとともに、パッドの耐水性、汚れ防止等を格別に考慮せずにパッドを製造可能にすることにある。
【００１３】
【課題を解決するための手段】
上記目的を達成すべく、本考案は、利き腕と反対側の手に着用されるゴルフ用手袋であって、ゴルフクラブのグリップの握りを適正化するためのパッドを備えたゴルフ用手袋において、
前記パッドは、適度な形状保持性を有する芯材と、該芯材を被覆するカバーとを有し、面状止着具によって手袋本体の掌部裏面に着脱可能且つ位置調節可能に取付けられ、
前記面状止着具は、分離可能な第１ファスナ要素及び第２ファスナ要素からなり、前記第１ファスナ要素は、前記掌部裏面に固定され、前記第２ファスナ要素は、前記芯材に一体的に取付けられ、
前記パッドは、前記第１及び第２ファスナ要素の止着により前記掌部の裏面に固定され、ゴルフクラブのグリップに沿って延びる突条を手袋着用時に前記掌部の表面に形成することを特徴とするゴルフ用手袋を提供する。
【００１４】
他の観点より、本考案は、利き腕と反対側の手に着用されるゴルフ用手袋であって、ゴルフクラブのグリップの握りを適正化するためのパッドを備えたゴルフ用手袋において、
前記パッドは、適度な形状保持性を有し且つ弾力的に変形可能な樹脂、ゴム又はエラストマーの一体成形品からなり、中空構造を有し、面状止着具によって手袋本体の掌部裏面に着脱可能且つ位置調節可能に取付けられ、
前記面状止着具は、分離可能な第１ファスナ要素及び第２ファスナ要素からなり、前記第１ファスナ要素は、前記掌部裏面に固定され、前記第２ファスナ要素は、前記パッドの一面に一体的に取付けられ、
前記パッドは、前記第１及び第２ファスナ要素の止着により前記掌部の裏面に固定され、ゴルフクラブのグリップに沿って延びる突条を手袋着用時に前記掌部の表面に形成することを特徴とするゴルフ用手袋を提供する。
【００１５】
本考案の上記構成によれば、パッドは、手袋の内側において手袋の掌部裏面に配置され、外界に露出せず、従って、ゴルフ用手袋の見栄えは悪化せず、スイング以外の動作の障害になり難い。手袋の内側に配置されるパッドは、他のプレーヤーにパッドの使用を意識させずに使用でき、他のプレーヤーに心理的影響を与えず、しかも、耐水性、汚れ防止等を考慮せずに製造することができる。また、パッドは、掌部裏面から脱落したときに手袋内に留まるので、紛失し難い。更に、ゴルフクラブのグリップの摩擦力等は、手袋の掌部の素材（合成皮革又は天然皮革等）を介してパッドに作用するので、パッドは損耗し難く、縫製糸の損耗又は切断も生じ難い。加えて、パッド製造材料として使用可能な材料及び製法の選択可能性が高まるので、製造工程を簡素化することが可能となる。
【００１６】
好ましくは、上記第１ファスナ要素は、合成樹脂基材の表面全域に合成樹脂製の多数のループ状起毛を形成した面ファスナの雌側部材からなり、上記第２ファスナ要素は、合成樹脂基材の表面全域に多数のフック状微細突起を形成した面ファスナの雄側部材からなり、上記芯材は、繊維質材料、樹脂発泡体、合成ゴム材料又はエラストマー材料からなる。
【００１７】
更に好ましくは、第２ファスナ要素の外縁部及び上記カバーの外縁部は、縫着又は熱溶着により一体化し、第２ファスナ要素及びカバーは、芯材を収容可能な鞘を形成する。
【００１８】
好適には、掌部裏面に取付けられたパッドの高さ（Ｔ）は、５ｍｍ以上に設定され、パッドの幅（Ｗ）は、１０〜３０ｍｍに設定され、パッドの長さ（Ｌ）は、４０〜８０ｍｍに設定される。更に好適には、第１ファスナ要素は、中指付け根付近から小指側に斜めに延び、第１ファスナ要素の中心線は、手袋の中心軸線に対して所定角度（α）をなして傾斜し、この角度（α）は、３０〜６０度の範囲内の角度値に設定される。好ましくは、第１ファスナ要素の側縁は、手首側に向かって若干拡開する形態を有し、第１ファスナ要素の開き角（β）は、１０〜３０度の範囲内の角度値に設定される。
【００１９】
変形例として、第１ファスナ要素を手袋の中心軸線方向に沿って並列配置しても良い。
【００２０】
【考案の実施の形態】
以下、添付図面を参照して、本考案の好適な実施形態について詳細に説明する。
図１は、本考案に係るゴルフ用手袋を手の甲側から見た状態で示す部分破断断面図であり、図２は、図１に示すゴルフ用手袋を掌側から見た状態で示す正面図である。また、図３は、図１のＡ−Ａ線における拡大断面図であり、図４は、パッドの着脱方法を示すゴルフ用手袋の部分破断断面図である。
【００２１】
図１〜図４に示すゴルフ用手袋１は、手袋本体１１の内側に配置されたパッド１０を有する。手袋本体１１は、天然皮革又は合成皮革等の素材を型抜き加工及び縫製加工により製造した一般的なゴルフ用手袋からなり、親指、人差指、中指、薬指及び小指を挿入可能なポケット部分を備える。所望により、手袋本体１１の素材には、防水加工又は防水処理が施される。手袋本体１１は、着用時にゴルフプレーヤーの手を概ね全体的に覆う。
【００２２】
図１及び図２に示すように、手袋本体１１の掌部の裏面には、シート状の雌側ファスナ要素１４が縫い付けられる。縫い目８が、図１に破線で示されている。雌側ファスナ要素１４は、合成樹脂基材の表面全域に合成樹脂製の多数のループ状起毛１８（図３）を形成した面ファスナの雌側部材からなる。雌側ファスナ要素１４は、中指付け根付近から小指側に斜めに延びる。雌側ファスナ要素１４の中心線６は、手袋１の中心軸線５に対して角度αをなして傾斜する。角度αは、３０〜６０度の範囲内に角度値に設定される。雌側ファスナ要素１４の側縁は、手首側に向かって若干拡開する形態を有し、開き角βは、１０〜３０度の範囲内の角度値に設定される。
【００２３】
パッド１０は、図３に示す如く、シート状の雄側ファスナ要素１５と、雄側ファスナ要素１５に縫着したカバー１６と、カバー１６内に収容した芯材１７とから構成される。雄側ファスナ要素１５は、合成樹脂基材の表面全域に多数のフック状微細突起１９を形成した面ファスナの雄側部材からなり、正面視略矩形の輪郭を有する。カバー１６は、手袋本体１１と同じく、天然皮革又は合成皮革等の素材からなり、雄側ファスナ要素１５の裏面全体を覆うように配置される。カバー１６の外縁部は、雄側ファスナ要素１５の外縁部に整合し、縫合され、縫い目１２が、パッド１０外周域に形成される。カバー１６は、雄側ファスナ要素１５から膨出し、芯材１７の収納領域を雄側ファスナ要素１５との間に形成する。芯材１７は、紙及び不織布等の繊維質素材を多層に折り畳み又は積層した状態でカバー１６及び雄側ファスナ要素１５の間に充填することにより形成される。
【００２４】
パッド１０の雄側ファスナ要素１５を雌側ファスナ要素１４に止着することにより、パッド１０は、手袋本体１１の掌部裏面に着脱可能且つ位置調節可能に取付けられる。芯材１７を内部に充填したパッド１０は、芯材１７の適度な形状保持性及び変形能により、図３に示す如く、中央部が若干湾曲した凸状横断面輪郭の突条を掌部裏面に形成する。パッド１０が形成する突条の高さＴは、好ましくは、５ｍｍ以上の寸法に設定される。本実施形態では、高さＴは、約１０ｍｍ程度に設定される。また、パッド１０の幅Ｗ（図１）は、１０〜３０ｍｍ（本例では約２０ｍｍ）に設定され、パッド１０の長さＬ（図１）は、４０〜８０ｍｍ（本例では約６０ｍｍ）に設定される。
【００２５】
雌雄のファスナ要素１４、１５より構成される面状止着具１３は、接着剤等の化学物質の化学的結合手段と異なり、比較的容易に分離・止着可能な機械的結合手段をパッド１０及び手袋本体１１の間に形成する。ゴルフプレーヤーは、パッド１０を頻繁且つ任意の時期に手袋本体１１に取付け又は取外すことができる。なお、パッド１０を取外した場合、雌側ファスナ要素１４がゴルフプレーヤーの掌に直に接するが、雌側ファスナ要素１４のループ状起毛１８は、プレーヤーに不快感を与えない。
【００２６】
図５は、パッド１０を止着した上記手袋１を着用してゴルフクラブのグリップ２を握持した状態を示す正面図であり、図６は、パッド１０により手袋１の掌部表面に形成される凸状隆起部を示す断面図である。
【００２７】
手袋本体１１の掌部に止着したパッド１０は、着用時に手袋１内に配置され、外部から視覚的に隠れるが、パッド１０は、手袋１の内側で人体の掌３０に当たり、手袋本体１１の掌部を外側に膨出させる。このため、図６に示す如く、凸状隆起部の連続体からなる突条２０が、手袋１の掌部に形成され、突条２０は、グリップ２に当接する。
【００２８】
図５に示すように、突条２０は、ゴルフクラブのグリップ２を握持した状態で、グリップ２に当接し、グリップ２の位置は、パッド１０によって規制される。前述の如く、パッド１０は、面状止着具１３により手袋本体１１に着脱可能に止着されているので、ゴルフプレーヤーは、パッド１０の位置（角度α、長さ方向位置、幅方向位置）を適当に調節し、プレーヤー自身の個性又は体型等に適した任意の位置にパッド１０を位置決めし、固定することができる。例えば、ゴルフプレーヤーは、グリップ２の位置又は方向に違和感や問題等を意識した場合、図４に示す如く、パッド１０を手袋１の内面から取外し、適切な位置及び方向に修正した状態で手袋内面に再止着し得る。プレーヤーは、一旦パッド１０を最適位置に位置決めした後は、ショット前のセットポジションの都度、パッド１０とグリップ２との当接具合によりグリップ状態の適否を確認すれば良い。
【００２９】
突条２０は、ゴルフクラブのスイング時に手袋１の掌部に生じ易い間隙を占めるので、比較的弱い握力でグリップ２を適正に握持可能な安定感がセットポジションにおいて得られる。スイング時のグリップ２の方向性は、突条２０により或る程度規制されるので、クラブフェイス面の方向性も安定する。
【００３０】
また、突条２０は、ショット時に手袋１の掌部に生じ易い間隙を塞ぎ、グリップ２の不要な動きを可能にする遊び（空隙）が掌に形成されるのを防止する。このため、グリップ握力低下に起因するミスショットや、フック又はスライス等が生じるのを防止することができる。
【００３１】
更には、突条２０の存在により、比較的弱い握力でグリップ２を適正に握持し得る安心感がセットポジションにおいて既に得られるので、ゴルフプレーヤーは、比較的リラックスした状態でクラブスイングを行うことができ、これは、飛距離の増大や、ショットの方向安定性を自然にもたらす。
【００３２】
このように、本考案によれば、ゴルフ用手袋１は、手袋本体１１の掌部裏面に取付けられる細長いパッド１０を有し、パッド１０は、掌部裏面に着脱可能且つ位置調整可能に止着される。パッド１０は、セットアップ時にゴルフクラブのグリップ２に沿う突条２０を掌部表面に形成する。
【００３３】
図７は本考案の第二の実施形態に係るゴルフ用手袋を手の甲側から見た状態で示す部分破断断面図であり、図８は図７に示すゴルフ用手袋を掌側から見た状態で示す正面図であり、図９は図８のＢ−Ｂ線における拡大断面図であり、図１０は図８のＣ−Ｃ線における拡大断面図である。各図において、図１乃至図６に示す構成要素と実質的に同じ構成要素については、同一の参照符号が付されている。
【００３４】
図７乃至図１０に示すゴルフ用手袋１は、図１乃至図６に示すゴルフ用手袋と実質的に同じ全体構成を有する。しかしながら、本実施形態のゴルフ用手袋１では、一対の雌側ファスナ要素１４が掌部裏面に取付けられ、ファスナ要素１４は、手袋１の中心軸線５に沿って間隔を隔てて並列配置される。また、パッド１０内には、適度な高度を有するウレタン樹脂発泡成形品又はメラミン樹脂発泡成形品等の樹脂発泡体、このような樹脂発泡体の熱圧縮加工品、或いは、弾力的な樹脂一体成形品等が芯材１７として収容される。
【００３５】
カバー１６は、手袋本体１１の素材と同様、天然皮革又は合成皮革等の布状材料よりなり、図９及び図１０に示すように、芯材１７の周囲全体を被覆するように袋状に縫製される。カバー１６の内側面は、少なくとも部分的に粘着テープ又は接着剤により芯材１７の表面に貼着又は接着される。芯材１７上を覆うカバー１６の両端部及び縁部は、縫合される。縫合部分は、縫い目２１として図９及び図１０に示されている。
パッド１０は、全体的に略直方体形状を有する。雄側ファスナ要素１５が接着剤又は粘着テープ３２によってパッド１０に取付けられる。本実施形態では、パッド１０の高さ寸法Ｔは、約１０ｍｍに設定され、長さ寸法Ｌは、５０ｍｍに設定され、幅寸法Ｗは、２０ｍｍに設定される。
【００３６】
図１１は本考案の第三の実施形態に係るゴルフ用手袋を示す拡大断面図であり、図１２は図１１のＤ−Ｄ線における拡大断面図である。各図において、図１乃至図６に示す構成要素と実質的に同じ構成要素については、同一の参照符号が付されている。
【００３７】
本実施形態のゴルフ用手袋１では、パッド１０は、適度な形状保持性を有する材質、例えば、樹脂、合成ゴム及びエラストマーの一体成形品３１からなり、パッド１０内には、内部空間３０が形成される。パッド１０は、接着剤又は粘着テープ３２によって雄側ファスナ要素１５に固着される。
【００３８】
以上、本考案の好適な実施形態について詳細に説明したが、本考案は、上記実施形態に限定されるものではなく、実用新案登録請求の範囲に記載した考案の範囲内で種々の変形又は変更が可能であり、そのような変形例又は変更例も又、本考案の範囲内に含まれるものであることは、いうまでもない。
【００３９】
例えば、上記実施形態では、パッド１０は、繊維質材料の芯材を内部充填した構造のものであるが、適度な硬度を有するウレタン樹脂発泡体、高分子ゴム又はエラストマー等の柔軟材料又は弾力材料で作られた芯材をパッド内に充填してもよい。
【００４０】
また、縫着や接着に換えて、熱溶着等の他の固着手段を用いて上記カバー１６を雄側ファスナ要素１５に固着しても良い。　更に、パッド１０の寸法及び断面形状は、プレーヤーの手の形状及び大きさ等に適した任意の形態に設計変更することができる。
【００４１】
また、上記実施形態では、右利きプレーヤーが左手に着用する手袋に関して説明したが、本発明は、左利きプレーヤーが右手に着用する手袋についても同様に適用することができる。
【００４２】
【考案の効果】
以上説明した如く、本考案の上記構成によれば、ゴルフクラブのグリップの握りを適正化するためのパッドを備えたゴルフ用手袋において、ゴルフ用手袋は、ゴルフ用手袋の見栄えの悪化、スイング以外の動作の障害、パッドの紛失、他のプレーヤーに与える心理的影響、パッドの早期損耗、縫製糸の損耗又は切断、更には、製造工程の煩雑化又は複雑化を防止するとともに、パッドの耐水性、汚れ防止等を格別に考慮せずにパッドを製造可能にすることができる。
【図面の簡単な説明】
【図１】本考案に係るゴルフ用手袋を手の甲側から見た状態で示す部分破断断面図である。
【図２】図１に示すゴルフ用手袋を掌側から見た状態で示す正面図である。
【図３】図２のＡ−Ａ線における拡大断面図である。
【図４】パッドの着脱方法を示すゴルフ用手袋の部分破断断面図である。
【図５】パッドを止着した手袋を着用してゴルフクラブのグリップを握持した状態を示す正面図である。
【図６】パッドにより手袋の掌部表面に形成される突条の断面図である。
【図７】本考案の第二の実施形態に係るゴルフ用手袋を手の甲側から見た状態で示す部分破断断面図である。
【図８】図７に示すゴルフ用手袋を掌側から見た状態で示す正面図である。
【図９】図８のＢ−Ｂ線における拡大断面図である。
【図１０】図８のＣ−Ｃ線における拡大断面図である。
【図１１】本考案の第三の実施形態に係るゴルフ用手袋を示す拡大断面図である。
【図１２】図１１のＤ−Ｄ線における断面図である。
【符号の説明】
１　　　　ゴルフ用手袋
２　　　　ゴルフクラブのグリップ
１０　　　パッド
１１　　　手袋本体
１３　　　面状止着具
１４　　　雌側ファスナ要素
１５　　　雄側ファスナ要素
１６　　　カバー
１７　　　芯材
２０　　　突条
３０　　　内部空間
３１　　　一体成形品
【図１】
0003097083.tif 000003
【図２】
0003097083.tif 000004
【図３】
0003097083.tif 000005
【図４】
0003097083.tif 000006
【図５】
0003097083.tif 000007
【図６】
0003097083.tif 000008
【図７】
0003097083.tif 000009
【図８】
0003097083.tif 000010
【図９】
0003097083.tif 000011
【図１０】
0003097083.tif 000012
【図１１】
0003097083.tif 000013
【図１２】
0003097083.tif 000014